(57)【要約】【課題】改札効率を向上することが可能であるとともに、利用者に対するサービス性を向上することが可能な改札システム、券類処理装置、及び、改札方法を提供することを目的とする。【解決手段】第１発着駅から連絡駅までの第１有効区間を有する第１券類を受け取ったのに基づいて連絡駅に前記第１券類の入場記録を送信し、連絡駅において送信された入場記録を記憶手段に記憶し、連絡駅において連絡駅から第２発着駅までの第２有効区間を有する第２券類を受け取ったのに基づいて記憶手段から第２券類と併用される第１券類の入場記録を検索し、検索結果に基づいて改札処理を行う。【選択図】　　図１
2004133606.tif 000002
【特許請求の範囲】
【請求項１】
第１発着駅から連絡駅までの第１有効区間を有する第１券類を受け取ったのに基づいて、前記連絡駅に前記第１券類の入場記録を送信する送信手段と、
前記連絡駅において、前記送信手段により送信された前記入場記録を記憶する記憶手段と、
前記連絡駅において、前記連絡駅から第２発着駅までの第２有効区間を有する第２券類を受け取ったのに基づいて、前記記憶手段から前記第２券類と併用される前記第１券類の入場記録を検索する検索手段と、
前記検索手段による検索結果に基づいて、改札処理を行う改札手段と、
を備えたことを特徴とする改札システム。
【請求項２】
第１発着駅から連絡駅までの第１有効区間を有する第１券類に、前記連絡駅から第２発着駅までの第２有効区間を有する第２券類と併用する旨のペア情報が記録されているか否かを判断する判断手段と、
前記判断手段による前記第１券類にペア情報が記録されているとの判断結果に基づいて、前記連絡駅に前記第１券類の入場記録を送信する送信手段と、
前記連絡駅において、前記送信手段により送信された前記入場記録を記憶する記憶手段と、
前記連絡駅において、前記第２券類を受け取ったのに基づいて、前記記憶手段から前記第１券類の入場記録を検索する検索手段と、
前記検索手段による検索結果に基づいて、改札処理を行う改札手段と、
を備えたことを特徴とする改札システム。
【請求項３】
第１発着駅から連絡駅までの第１有効区間を有する第１券類を受け取る受取手段と、
前記受取手段により受け取られた前記第１券類に記録された磁気情報を読み取る読取手段と、
前記読取手段による読取結果に基づいて、前記第１券類に、前記連絡駅から第２発着駅までの第２有効区間を有する第２券類と併用する旨のペア情報が記録されているか否かを判断する判断手段と、
前記判断手段による前記第１券類にペア情報が記録されているとの判断結果に基づいて、前記連絡駅に前記第１券類の入場記録を送信する送信手段と、
前記連絡駅において、前記送信手段により送信された前記入場記録を記憶する記憶手段と、
前記連絡駅において、前記第２券類を受け取ったのに基づいて、前記記憶手段から前記第１券類の入場記録を検索する検索手段と、
前記検索手段による検索結果に基づいて、改札処理を行う改札手段と、
を備えたことを特徴とする改札システム。
【請求項４】
第１発着駅から連絡駅までの第１有効区間を有する第１券類を受け取ったのに基づいて、前記連絡駅に前記第１券類の入場記録を送信する送信手段と、
前記連絡駅において、前記送信手段により送信された前記入場記録を記憶する記憶手段と、
前記連絡駅において、前記連絡駅から第２発着駅までの第２有効区間を有する第２券類に、前記第１券類と併用する旨のペア情報が記録されているか否かを判断する判断手段と、
前記判断手段による前記第２券類にペア情報が記録されているとの判断結果に基づいて、前記記憶手段から前記第２券類と併用される前記第１券類の入場記録を検索する検索手段と、
前記検索手段による検索結果に基づいて、改札処理を行う改札手段と、
を備えたことを特徴とする改札システム。
【請求項５】
第１発着駅から連絡駅までの第１有効区間を有する第１券類を受け取ったのに基づいて、前記連絡駅に前記第１券類の入場記録を送信する送信手段と、
前記連絡駅において、前記送信手段により送信された前記入場記録を記憶する記憶手段と、
前記連絡駅において、前記連絡駅から第２発着駅までの第２有効区間を有する第２券類との間で無線通信を行う通信手段と、
前記通信手段による通信結果に基づいて、前記第２券類に、前記第１券類と併用する旨のペア情報が記録されているか否かを判断する判断手段と、
前記判断手段による前記第２券類にペア情報が記録されているとの判断結果に基づいて、前記記憶手段から前記第２券類と併用される前記第１券類の入場記録を検索する検索手段と、
前記検索手段による検索結果に基づいて、改札処理を行う改札手段と、
を備えたことを特徴とする改札システム。
【請求項６】
前記改札手段は、前記検索手段により該当する前記入場記録が検索されたのに基づいて、前記記憶手段に記憶された前記入場記録を削除することを特徴とする請求項１乃至５のいずれか１項に記載の改札システム。
【請求項７】
前記送信手段は、前記第１発着駅から前記連絡駅までの少なくとも１つの駅に設置されたことを特徴とする請求項１乃至５のいずれか１項に記載の改札システム。
【請求項８】
連絡駅において、第１発着駅から前記連絡駅までの第１有効区間を有する第１券類を受け取ったのに基づいて、第２発着駅から前記連絡駅までの各駅に前記第１券類の通過記録を送信する送信手段と、
前記各駅において、前記送信手段により送信された前記通過記録を記憶する記憶手段と、
前記各駅において、前記連絡駅から第２発着駅までの第２有効区間を有する第２券類を受け取ったのに基づいて、前記記憶手段から前記第２券類と併用される前記第１券類の通過記録を検索する検索手段と、
前記検索手段による検索結果に基づいて、改札処理を行う改札手段と、
を備えたことを特徴とする改札システム。
【請求項９】
連絡駅において、第１発着駅から前記連絡駅までの第１有効区間を有する第１券類に、前記連絡駅から第２発着駅までの第２有効区間を有する第２券類と併用する旨のペア情報が記録されているか否かを判断する判断手段と、
前記判断手段による前記第１券類にペア情報が記録されているとの判断結果に基づいて、前記第２発着駅から前記連絡駅までの各駅に前記第１券類の通過記録を送信する送信手段と、
前記各駅において、前記送信手段により送信された前記通過記録を記憶する記憶手段と、
前記各駅において、前記第２券類を受け取ったのに基づいて、前記記憶手段から前記第１券類の通過記録を検索する検索手段と、
前記検索手段による検索結果に基づいて、改札処理を行う改札手段と、
を備えたことを特徴とする改札システム。
【請求項１０】
連絡駅において、第１発着駅から前記連絡駅までの第１有効区間を有する第１券類との間で無線通信を行う通信手段と、
前記通信手段による通信結果に基づいて、前記第１券類に、前記連絡駅から第２発着駅までの第２有効区間を有する第２券類と併用する旨のペア情報が記録されているか否かを判断する判断手段と、
前記判断手段による前記第１券類にペア情報が記録されているとの判断結果に基づいて、前記第２発着駅から前記連絡駅までの各駅に前記第１券類の通過記録を送信する送信手段と、
前記各駅において、前記送信手段により送信された前記通過記録を記憶する記憶手段と、
前記各駅において、前記第２券類を受け取ったのに基づいて、前記記憶手段から前記第１券類の通過記録を検索する検索手段と、
前記検索手段による検索結果に基づいて、改札処理を行う改札手段と、
を備えたことを特徴とする改札システム。
【請求項１１】
連絡駅において、第１発着駅から前記連絡駅までの第１有効区間を有する第１券類を受け取ったのに基づいて、第２発着駅から前記連絡駅までの各駅に前記第１券類の通過記録を送信する送信手段と、
前記各駅において、前記送信手段により送信された前記通過記録を記憶する記憶手段と、
前記各駅において、前記連絡駅から第２発着駅までの第２有効区間を有する第２券類に、前記第１券類と併用する旨のペア情報が記録されているか否かを判断する判断手段と、
前記判断手段による前記第２券類にペア情報が記録されているとの判断結果に基づいて、前記記憶手段から前記第２券類と併用される前記第１券類の通過記録を検索する検索手段と、
前記検索手段による検索結果に基づいて、改札処理を行う改札手段と、
を備えたことを特徴とする改札システム。
【請求項１２】
連絡駅において、第１発着駅から前記連絡駅までの第１有効区間を有する第１券類を受け取ったのに基づいて、第２発着駅から前記連絡駅までの各駅に前記第１券類の通過記録を送信する送信手段と、
前記各駅において、前記送信手段により送信された前記通過記録を記憶する記憶手段と、
前記各駅において、前記連絡駅から第２発着駅までの第２有効区間を有する第２券類を受け取る受取手段と、
前記受取手段により受け取られた第２券類に記録された磁気情報を読み取る読取手段と、
前記読取手段による読取結果に基づいて、前記第２券類に、前記第１券類と併用する旨のペア情報が記録されているか否かを判断する判断手段と、
前記判断手段による前記第２券類にペア情報が記録されているとの判断結果に基づいて、前記記憶手段から前記第２券類と併用される前記第１券類の通過記録を検索する検索手段と、
前記検索手段による検索結果に基づいて、改札処理を行う改札手段と、
を備えたことを特徴とする改札システム。
【請求項１３】
前記改札手段は、前記検索手段により該当する前記通過記録が検索されたのに基づいて、前記記憶手段に記憶された前記通過記録を削除することを特徴とする請求項８乃至１２のいずれか１項に記載の改札システム。
【請求項１４】
第１発着駅から連絡駅までの第１有効区間を有する第１券類との間で磁気処理を行うことにより、前記第１券類から所定情報を読み取るとともに前記第１券類に対して所定情報を記録する磁気処理手段と、
前記連絡駅から第２発着駅までの第２有効区間を有する第２券類との間で無線通信を行うことにより、前記第２券類からの所定情報を受信するとともに前記第２券類に対して所定情報を送信する通信手段と、
前記磁気処理手段及び前記通信手段を制御して、前記第１券類と前記第２券類とを併用する旨のペア情報を前記第１券類及び前記第２券類のそれぞれに記録する制御手段と、
を備えたことを特徴とする券類処理装置。
【請求項１５】
第１発着駅から連絡駅までの第１有効区間を有する第１券類を受け取ったのに基づいて、前記連絡駅に前記第１券類の入場記録を送信し、
前記連絡駅において、送信された前記入場記録を記憶手段に記憶し、
前記連絡駅において、前記連絡駅から第２発着駅までの第２有効区間を有する第２券類を受け取ったのに基づいて、前記記憶手段から前記第２券類と併用される前記第１券類の入場記録を検索し、
検索結果に基づいて、改札処理を行う、
ことを特徴とする改札方法。
【請求項１６】
連絡駅において、第１発着駅から前記連絡駅までの第１有効区間を有する第１券類を受け取ったのに基づいて、第２発着駅から前記連絡駅までの各駅に前記第１券類の通過記録を送信し、
前記各駅において、送信された前記通過記録を記憶手段に記憶し、
前記各駅において、前記連絡駅から第２発着駅までの第２有効区間を有する第２券類を受け取ったのに基づいて、前記記憶手段から前記第２券類と併用される前記第１券類の通過記録を検索し、
検索結果に基づいて、改札処理を行う、
ことを特徴とする改札方法。
【発明の詳細な説明】
【０００１】
【発明の属する技術分野】
この発明は、改札システム、券類処理装置、及び、改札方法に係り、特に、複数の会社線に連絡可能な連絡駅において設置される１ラッチ改札機における改札処理に関する。
【０００２】
【従来の技術】
近年、鉄道網の発達に伴って利用者による利用形態も多様化している。複数の会社線が相互に乗り入れ、互いに連絡可能な連絡駅においては、各会社線の駅構内への入場時及び出場時の改札処理に利用される改札機の他に、一方の会社線の駅構内から他方の会社線の駅構内への通過時の改札処理に利用されるいわゆる１ラッチ改札機が設置されている。
【０００３】
このような複数の会社線に連絡可能な改札システムにおいては、ある会社線では、磁気式及び無線式の券類に基づいて改札処理が可能な改札機を備えているものの、他の会社線では、磁気式の券類に基づいて改札処理が可能な改札機しか備えていない場合もある。したがって、これらの会社線を利用する利用者は、各会社線の利用形態に併せて磁気式券類や無線式券類を所持することになる。また、複数の会社線を連絡利用する利用者は、磁気式券類及び無線式券類の両者を所持することもある。
【０００４】
磁気式券類及び無線式券類の両者を所持し、複数の会社線を連絡利用する利用者は、連絡駅における１ラッチ改札機を通過する際に、磁気式券類を投入し、さらに無線式券類をアンテナ部にかざす操作が必要である。１ラッチ改札機では、投入された磁気式券類から改札処理に必要な改札情報を読み取り、磁気式券類を内部保留した状態でアンテナ部にかざされた無線式券類と無線通信を行うことによって改札処理に必要な改札情報を読み取り、磁気式券類及び無線式券類の改札情報に基づいて、利用者の通過可否などの改札処理を行う。
【０００５】
【発明が解決しようとする課題】
このような従来の改札システムでは、１ラッチ改札機を通過する際、２つの異なる媒体、すなわち磁気式券類及び無線式券類を必要とする場合がある。この場合、磁気式券類を投入した後に無線式券類をアンテナ部にかざすといった煩雑な操作が要求される。
【０００６】
このような煩雑な操作のため、１ラッチ改札機の利用に多大な時間がかかる場合があり、改札効率の低下を招くおそれがある。また、利用者が操作方法を誤り易く、利用者にたいするサービス性が損なわれるおそれがある。
【０００７】
この発明は、上述した問題点に鑑みなされたものであって、その目的は、改札効率を向上することが可能であるとともに、利用者に対するサービス性を向上することが可能な改札システム、券類処理装置、及び、改札方法を提供することにある。
【０００８】
【課題を解決するための手段】
この発明の第１の様態による改札システムは、
第１発着駅から連絡駅までの第１有効区間を有する第１券類を受け取ったのに基づいて、前記連絡駅に前記第１券類の入場記録を送信する送信手段と、
前記連絡駅において、前記送信手段により送信された前記入場記録を記憶する記憶手段と、
前記連絡駅において、前記連絡駅から第２発着駅までの第２有効区間を有する第２券類を受け取ったのに基づいて、前記記憶手段から前記第２券類と併用される前記第１券類の入場記録を検索する検索手段と、
前記検索手段による検索結果に基づいて、改札処理を行う改札手段と、
を備えたことを特徴とする。
【０００９】
この発明の第２の様態による改札システムは、
連絡駅において、第１発着駅から前記連絡駅までの第１有効区間を有する第１券類を受け取ったのに基づいて、第２発着駅から前記連絡駅までの各駅に前記第１券類の通過記録を送信する送信手段と、
前記各駅において、前記送信手段により送信された前記通過記録を記憶する記憶手段と、
前記各駅において、前記連絡駅から第２発着駅までの第２有効区間を有する第２券類を受け取ったのに基づいて、前記記憶手段から前記第２券類と併用される前記第１券類の通過記録を検索する検索手段と、
前記検索手段による検索結果に基づいて、改札処理を行う改札手段と、
を備えたことを特徴とする改札システム。
【００１０】
この発明の第３の様態による券類処理装置は、
第１発着駅から連絡駅までの第１有効区間を有する第１券類との間で磁気処理を行うことにより、前記第１券類から所定情報を読み取るとともに前記第１券類に対して所定情報を記録する磁気処理手段と、
前記連絡駅から第２発着駅までの第２有効区間を有する第２券類との間で無線通信を行うことにより、前記第２券類からの所定情報を受信するとともに前記第２券類に対して所定情報を送信する通信手段と、
前記磁気処理手段及び前記通信手段を制御して、前記第１券類と前記第２券類とを併用する旨のペア情報を前記第１券類及び前記第２券類のそれぞれに記録する制御手段と、
を備えたことを特徴とする。
【００１１】
この発明の第４の様態による改札方法は、
第１発着駅から連絡駅までの第１有効区間を有する第１券類を受け取ったのに基づいて、前記連絡駅に前記第１券類の入場記録を送信し、
前記連絡駅において、送信された前記入場記録を記憶手段に記憶し、
前記連絡駅において、前記連絡駅から第２発着駅までの第２有効区間を有する第２券類を受け取ったのに基づいて、前記記憶手段から前記第２券類と併用される前記第１券類の入場記録を検索し、
検索結果に基づいて、改札処理を行う、
ことを特徴とする。
【００１２】
この発明の第５の様態による改札方法は、
連絡駅において、第１発着駅から前記連絡駅までの第１有効区間を有する第１券類を受け取ったのに基づいて、第２発着駅から前記連絡駅までの各駅に前記第１券類の通過記録を送信し、
前記各駅において、送信された前記通過記録を記憶手段に記憶し、
前記各駅において、前記連絡駅から第２発着駅までの第２有効区間を有する第２券類を受け取ったのに基づいて、前記記憶手段から前記第２券類と併用される前記第１券類の通過記録を検索し、
検索結果に基づいて、改札処理を行う、
ことを特徴とする。
【００１３】
【発明の実施の形態】
以下、この発明の一実施の形態に係る改札システムについて図面を参照して説明する。
まず、この改札システムを適用可能なシチュエーションについて定義する。
【００１４】
図１に示すように、第１会社線は、Ａ駅及びＢ駅を含む路線を有し、各駅にホストコンピュータに接続された改札機を備えている。第１会社線の各駅のホストコンピュータは、互いに通信回線を介して接続され、相互に種々の情報を送受信可能である。第１会社線の各駅の改札機は、磁気式の券類に基づいて改札処理が可能であり、駅構内への入場時及び出場時の改札処理に利用される。
【００１５】
第２会社線は、Ｂ駅及びＸ駅を含む路線を有し、各駅にホストコンピュータに接続された改札機を備えている。第２会社線の各駅のホストコンピュータも同様に、互いに通信回線を介して接続され、相互に種々の情報を送受信可能である。第２会社線の各駅の改札機は、磁気式及び無線式の券類に基づいて改札処理が可能であり、駅構内への入場時及び出場時の改札処理に利用される。
【００１６】
Ｂ駅は、複数の会社線（すなわち第１会社線及び第２会社線）が相互に乗り入れ、互いに連絡可能な連絡駅である。このＢ駅には、一方の会社線の駅構内から他方の会社線の駅構内への通過時（例えば第１会社線の駅構内と第２会社線の駅構内との間の通過時）の改札処理に利用されるいわゆる１ラッチ改札機が設置されている。この１ラッチ改札機は、磁気式及び無線式の券類に基づいて改札処理が可能であり、第１会社線のホストコンピュータに接続されているものとする。
【００１７】
なお、第１会社線のホストコンピュータと第２会社線のホストコンピュータとは、互いに接続されて相互に種々の情報を送受信可能としても良い。また、連絡駅に設置される１ラッチ改札機は、第１会社線及び第２会社線の両社のホストコンピュータに接続されていても良い。
【００１８】
次に、各駅に設置されるホストコンピュータの構成について説明する。
図２に示すように、ホストコンピュータ１０には、通信回線２０を介して券類処理装置として、磁気式及び無線式の券類を処理可能な改札機１００、券売機２００、精算機３００などが接続されている。また、連絡駅に設置されたホストコンピュータ１０には、入場時及び出場時の改札処理に利用される改札機１００のほかに、通信回線２０を介して磁気式及び無線式の券類を処理可能な１ラッチ改札機１５０が接続されている。さらに、ホストコンピュータ１０には、通信回線３０を介して他の駅に設置されたホストコンピュータ１０が接続されている。
【００１９】
なお、磁気式の券類としては、普通乗車券、入場券、回数券、特急券、定期券、プリペイドカードなどがあり、無線式の券類としては、定期券、プリペイドカード、及び定期券とプリペイドカードとの両方の機能を兼ね備えた無線カードがある。
【００２０】
ホストコンピュータ１０は、各種駅務機器全体を制御するとともに検索手段として機能するＣＰＵ１１を有している。このＣＰＵ１１には、ホストコンピュータ１０を制御するための制御データなどを記憶している記憶手段として機能するメモリ部１２、各種駅務機器の状態やホストコンピュータ１０の動作状態などを表示する表示部１３、種々の情報を入力するためのキーボードなどを有する入力部１４などが接続されている。
【００２１】
また、このＣＰＵ１１には、各券類処理装置との間で通信回線２０を介してデータの送受信を行うとともに、他の駅のホストコンピュータ１０との間で通信回線３０を介してデータの送受信を行う送信手段として機能する通信制御部１５が接続されている。
【００２２】
改札機１００は、利用者が所持する（また利用者によって投入された）券類を受け取り、券類に記憶された改札処理に必要な券類情報を読み取り、この券類情報に基づいて改札処理を行う。この改札機１００は、例えば普通乗車券、入場券、回数券、特急券、定期券、無線カードなどの券類を処理する。
【００２３】
券売機２００は、券類を利用する利用者の操作による条件入力を受け付け、対価を受け取ることにより、入力された条件に基づいて所定の券類情報を記憶した券類を発行する。この券売機２００は、例えば普通乗車券、入場券、回数券、特急券、定期券、無線カードなどの券類を発行する。
【００２４】
また、この券売機２００は、利用者によって投入された無線カードを受け取り、受け取った現金の金額を加算するチャージ処理を行う。さらに、この券売機２００は、利用者によって投入された無線カードを受け取り、無線カードに対して後述するような所定の制限処理を行う。
【００２５】
精算機３００は、利用者によって投入された券類を受け取り、券類に記憶された精算処理に必要な券類情報を読み取り、この券類情報に基づいて精算処理を行う。この精算機３００は、例えば普通乗車券、回数券、特急券、定期券、無線カードなどの券類を処理する。
【００２６】
次に、この改札システムに適用可能な券類について説明する。
図３の（ａ）に示すように、磁気式の券類としての磁気式定期券ＣＡは、券類情報を記憶した磁気ストライプＭＡを備えている。この磁気ストライプＭＡは、第１券類情報を記憶した第１エリアＭＡ１、第２券類情報を記憶した第２エリアＭＡ２などを有している。
【００２７】
第１エリアＭＡ１には、定期券として利用する際に必要な定期券情報、例えば有効区間、有効期限、利用者の氏名、住所、性別、年齢などの情報が記憶されている。第２エリアＭＡ２には、ペア情報が記憶される。このペア情報は、磁気式定期券ＣＡを利用する際に、磁気式定期券ＣＡの第１有効区間と連続する有効区間を有する他の券類（例えば無線カード）を併用することに対応するものである。このペア情報は、併用される券類と関連付けされた識別コードや、併用される券類の有効区間、有効期限、券番号などによって構成される。
【００２８】
また、図３の（ｂ）に示すように、無線式の券類としての無線カードＣＢは、券類情報を記憶したメモリ部ＭＢを備えている。このメモリ部ＭＢは、第１券類情報を記憶した第１エリアＭＢ１、第２券類情報を記憶した第２エリアＭＢ２などを有している。
【００２９】
第１エリアＭＢ１には、定期券として利用する際に必要な定期券情報、例えば有効区間、有効期限、利用者の氏名、住所、性別、年齢などの情報が記憶されている。また、この第１エリアＭＢ１には、プリペイドカードとして利用する際に必要なプリペイド情報、例えば金額情報（残額情報）などが記憶されている。
【００３０】
第２エリアＭＢ２には、ペア情報が記憶される。このペア情報は、無線カードＣＢを定期券として利用する際に、無線カードＣＢの第２有効区間と連続する有効区間を有する他の券類（例えば磁気式定期券）を併用することに対応するものである。このペア情報は、併用される券類と関連付けされた識別コードや、併用される券類の有効区間、有効期限、券番号などによって構成される。
【００３１】
次に、磁気式の券類及び無線式の券類による改札処理が可能な改札機１００の構成について説明する。なお、１ラッチ改札機１５０も基本的に改札機１００と同様の構成を有している。
【００３２】
すなわち、図４に示すように、改札機１００は、券類に記憶された券類情報に基づいて改札処理を行なう改札手段として機能するとともに判断手段として機能するＣＰＵ１０１を備えている。
【００３３】
このＣＰＵ１０１には、記憶手段として機能するメモリ部１０２が接続されている。このメモリ部１０２は、ＣＰＵ１０１の制御プログラムを記憶しているＲＯＭ、券類から読み取った券類情報を一時的に記憶するとともに制御プログラムのバッファとして情報を記憶するＲＡＭ、入場駅からこの改札機１００の設置駅までの改札処理に必要な運賃情報を記憶している運賃メモリなどを備えて構成されている。
【００３４】
また、ＣＰＵ１０１には、読取手段として機能する読取ヘッド１０３を制御する読取回路１０４と、書込ヘッド１０５を制御する書込回路１０６と、が接続されている。
【００３５】
読取ヘッド１０３は、磁気式の券類に記録された券類情報を読み取る。読取回路１０４は、読取ヘッド１０３により読み取られたデータを処理（復調）する。書込ヘッド１０５は、磁気式の券類に対して券類情報を記録する。書込回路１０６は、書込ヘッド１０５により記録される券類情報を処理（変調）する。
【００３６】
また、このＣＰＵ１０１には、サーマルヘッド１０７を制御するプリンタ制御回路１０８と、パンチ処理部１０９を制御するパンチ制御回路１１０と、が接続されている。
【００３７】
サーマルヘッド１０７は、磁気式の券類の表面に各種情報を印刷する。プリンタ制御回路１０８は、券類に印刷する情報に基づいて、サーマルヘッド１０７を制御する。パンチ処理部１０９は、磁気式の券類にパンチ処理を施す。パンチ処理制御回路１１０は、パンチ処理部１０９の駆動を制御する。
【００３８】
さらに、このＣＰＵ１０１には、通信手段として機能する無線カードリーダライタ部１１２が接続されている。この無線カードリーダライタ部１１２は、無線式の券類すなわち無線カードＣＢとの間で無線通信を行う通信手段として機能する無線アンテナ１１１を備えている。
【００３９】
すなわち、この無線カードリーダライタ部１１２は、無線アンテナの交信エリア内にかざされた無線カードＣＢと交信し、無線カードＣＢから所定の券類情報を読み取るとともに、無線カードＣＢに対して所定の券類情報、例えば入場記録情報や出場記録情報、精算処理後の残額に対応した金額情報などを記録する。
【００４０】
また、ＣＰＵ１０１には、各種センサ１１３からの入力信号を検知する検知回路１１４、磁気式の券類を搬送する搬送機構１１５を制御する搬送制御回路１１６、人間検知センサ１１７からの入力信号を検知する通過検知回路１１８、ドア機構１１９の駆動を制御するドア制御回路１２０、表示部１２１の表示を制御する表示制御回路１２２、送信手段として機能する通信制御部１２４などが接続されている。
【００４１】
センサ１１３は、磁気式の券類の改札機への投入を検知するための出力信号を出力する投入口センサ、投入された券類のサイズを検知するための出力信号を出力するサイズ検知センサ、搬送機構１１５上での券詰まりを検知するための出力信号を出力する券詰まりセンサ、改札機からの排出を検知するための出力信号を出力する排出口センサなどからなる。検知回路１１４は、各センサ１１３からの出力信号に基づいて券類の搬送状況を検知する。
【００４２】
搬送機構１１５は、投入口に投入された磁気式の券類を受け取って機体内に取り込む受取手段として機能するとともに、読取ヘッド１０３、書込みヘッド１０５、及び排出口などへ向けて搬送する。搬送制御回路１１６は、搬送機構１１５による券類の搬送を制御する。
【００４３】
人間検知センサ１１７は、改札通路を通過する通行人すなわち券類の利用者を検知するために必要な検知信号を出力する。通過検知回路１１８は、人間検知センサ１１７から出力された検知信号を処理して利用者の通過状態を検出する。ドア機構１１９は、閉じることにより改札通路の通過を妨げる。ドア制御回路１２０は、改札処理の結果に基づいてドア機構１１９の開閉駆動を制御する。
【００４４】
表示部１２１は、通路案内表示部、投入口近傍表示部、および排出口近傍表示部などからなり、各種案内を表示する。表示制御回路１２２は、表示部１２１に表示される表示内容を制御する。通信制御部１２４は、通信回線２０を介してホストコンピュータ１０に接続され、ホストコンピュータ１０との間でデータを送受信する。
【００４５】
次に、磁気式の券類及び無線式の券類を処理可能な券類処理装置４００の構成について説明する。なお、この券類処理装置４００は、改札機１００、ラッチ改札機１５０、券売機２００、精算機３００などであっても良い。
【００４６】
すなわち、図５に示すように、券類処理装置４００は、ＣＰＵ４０１を備えている。このＣＰＵ４０１には、メモリ部４０２が接続されている。このメモリ部４０２には、ＣＰＵ４０１の制御プログラムを記憶しているＲＯＭ、券類から読み取った券類情報を一時的に記憶するとともに制御プログラムのバッファとして情報を記憶するＲＡＭなどを備えて構成されている。
【００４７】
また、このＣＰＵ４０１には、操作パネル４０４が接続されている。この操作パネル４０４は、例えばタッチパネルを備えて構成されており、表示部４０５、入力部４０６などを備えている。
【００４８】
表示部４０５は、利用者によって投入された券類に関する情報や、券類処理装置４００の動作状態など種々の情報を表示する。また、この表示部４０５は、磁気式定期券ＣＡや無線カードＣＢに対して所定の制限処理（例えば、ペア情報設定処理）を施す際の案内画面などを表示する。
【００４９】
入力部４０６は、磁気式定期券ＣＡ及び無線カードＣＢにペア情報を設定するのに必要な第２券類情報の入力を受け付ける。この入力部４０６を介して入力された第２券類情報は、磁気式定期券ＣＡの磁気ストライプＭＡにおける第２エリアＭＡ２に記録されるとともに、無線カードＣＢのメモリ部ＭＢにおける第２エリアＭＢ２に記録される。
【００５０】
さらに、ＣＰＵ４０１には、読取ヘッド４１１を制御する読取回路４１０、書込ヘッド４１３を制御する書込回路４１２、無線カードＣＢとの間で無線通信を行うための無線アンテナ４１５を備えた無線カードリーダライタ部４１４、各種センサ４１７からの入力信号を検知する検知回路４１６、通信回線２０を介してホストコンピュータ１０との間でデータを送受信する通信制御部４１８などが接続されている。
【００５１】
読取ヘッド４１１は、読取回路４１０の制御に基づいて、磁気式の券類に記録された券類情報を読み取る。書込ヘッド４１３は、書込回路４１２の制御に基づいて、磁気式の券類に対して券類情報を記録する。この書込ヘッド４１３は、入力部４０６を介して入力された第２券類情報に基づいて、磁気式定期券ＣＡの磁気ストライプＭＡにペア情報を記録する。これら読取回路４１０及び読取ヘッド４１１、および、書込回路４１２及び書込ヘッド４１３は、磁気処理手段として機能する。
【００５２】
無線カードリーダライタ部４１４は、無線アンテナ４１５の交信エリア内にかざされた無線カードＣＢと交信し、無線カードＣＢから所定の券類情報を読み取るとともに、無線カードＣＢに対して所定の券類情報を記録する。この無線カードリーダライタ部４１４は、入力部４０６を介して入力された第２券類情報に基づいて、無線カードＣＢのメモリ部ＭＢにペア情報を記録する。この無線カードリーダライタ部４１４は、通信手段として機能する。
【００５３】
センサ４１７は、磁気式及び無線式券類の投入口への投入を検知するための出力信号を出力する投入口センサ、排出口からの排出を検知するための出力信号を出力する排出口センサなどからなる。検知回路４１６は、各センサ４１７からの出力信号に基づいて券類を検知する。
【００５４】
次に、磁気式定期券ＣＡ及び無線カードＣＢのそれぞれにペア情報を記録する方法について説明する。
【００５５】
ここでは、利用者は、磁気式の券類のみに基づいて改札処理が可能な第１会社線の路線内では、Ａ駅とＢ駅との第１有効区間を有する磁気式定期券ＣＡを所持するとともに、磁気式及び無線式の券類に基づいて改札処理が可能な第２会社線の路線内では、Ｘ駅とＢ駅との第２有効区間を有する無線カードＣＢを所持するものとする。ここで、Ａ駅を発着駅とし、Ｂ駅を連絡駅とし、Ｘ駅を発着駅とする。
【００５６】
すなわち、図６に示すように、券類処理装置４００のＣＰＵ４０１は、入力部４０６を介してペア情報の設定要求を受け付けたか否かを判断する（ＳＴ１１）。ＣＰＵ４０１は、ペア情報の設定要求を受け付けたと判断したのに基づいて（ＳＴ１１、Ｙ）、表示部４０５にペア情報を設定するための案内画面を表示する（ＳＴ１２）。
【００５７】
続いて、ＣＰＵ４０１は、検知回路４１６を介して投入口センサからの出力信号に基づいて、磁気式定期券ＣＡまたは無線カードＣＢを受け取ったか否かを判断する（ＳＴ１３またはＳＴ１５）。
【００５８】
すなわち、ＣＰＵ４０１は、磁気式定期券ＣＡを受け取ったと判断したのに基づいて（ＳＴ１３、Ｙ）、読取回路４１０を制御して読取ヘッド４１１を介して磁気式定期券ＣＡから定期券情報を読み取り、読み取った定期券情報をメモリ部４０２に一時的に記憶する（ＳＴ１４）。また、ＣＰＵ４０１は、無線カードＣＢを受け取ったと判断したのに基づいて（ＳＴ１５、Ｙ）、無線カードリーダライタ部４１４を制御して無線アンテナ４１５を介して無線カードＣＢから定期券情報を読み取り、読み取った定期券情報をメモリ部４０２に一時的に記憶する（ＳＴ１６）。
【００５９】
続いて、ＣＰＵ４０１は、磁気式定期券ＣＡ及び無線カードＣＢの両者からの定期券情報の読み取りが完了したか否かを判断する（ＳＴ１７）。ＣＰＵ４０１は、両者からの定期券情報の読み取りが完了していないと判断したのに基づいて（ＳＴ１７、Ｎ）、ステップＳＴ１３に戻る。
【００６０】
また、ＣＰＵ４０１は、両者からの定期券情報の読み取りが完了したと判断したのに基づいて（ＳＴ１７、Ｙ）、両者に対してペア情報を記録する（ＳＴ１８）。すなわち、ＣＰＵ４０１は、メモリ部４０２に記憶した両者の定期券情報に基づいてペア情報を生成し、書込回路４１２を制御して書込ヘッド４１３を介して磁気式定期券ＣＡにペア情報を記録するとともに、無線カードリーダライタ部４１４を制御して無線アンテナ４１５を介して無線カードＣＢにペア情報を記録する。
【００６１】
続いて、ＣＰＵ４０１は、磁気式定期券ＣＡ及び無線カードＣＢを排出口から排出する（ＳＴ１９）。そして、ＣＰＵ４０１は、メモリ部４０２に記憶した両者の定期券情報を削除する。ＣＰＵ４０１は、検知回路４１６を介して排出口センサからの出力信号に基づいて、磁気式定期券ＣＡ及び無線カードＣＢが受け取られたことを検知してペア情報設定処理を終了する。
【００６２】
次に、上述したペア情報を有する磁気式定期券ＣＡ及び無線カードＣＢを用いた改札システムの第１の利用方法について説明する。
【００６３】
ここでは、第１券類としての磁気式定期券ＣＡは、第１会社線において、第１発着駅としてのＡ駅から連絡駅としてのＢ駅までの第１有効区間を有する。また、第２券類としての無線カードＣＢは、第２会社線において、第２発着駅としてのＸ駅から連絡駅としてのＢ駅までの第２有効区間を有する。
【００６４】
第１発着駅Ａから連絡駅Ｂまでの各駅に設置されたホストコンピュータ１０の通信制御部１５及びこのホストコンピュータ１０に接続された改札機１００の通信制御部１２４は、それぞれのＣＰＵ１１及びＣＰＵ１０１の制御により、第１発着駅Ａから連絡駅Ｂまでの第１有効区間を有する第１券類ＣＡを受け取ったのに基づいて、連絡駅Ｂに第１券類ＣＡの入場記録を送信する送信手段として機能する。
【００６５】
連絡駅Ｂに設置されたホストコンピュータ１０のメモリ部１２は、ＣＰＵ１１の制御により、各駅から送信された入場記録を記憶する記憶手段として機能する。
【００６６】
連絡駅Ｂに設置されたホストコンピュータ１０のＣＰＵ１１は、連絡駅Ｂから第２発着駅Ｘまでの第２有効区間を有する第２券類ＣＢを受け取ったのに基づいて、メモリ部１２から第２券類ＣＢと併用される第１券類ＣＡの入場記録を検索する検索手段として機能する。
【００６７】
連絡駅Ｂに設置された１ラッチ改札機１５０のＣＰＵ１０１は、ＣＰＵ１１による検索結果に基づいて改札処理を行う改札手段として機能する。
【００６８】
また、第１発着駅Ａから連絡駅Ｂまでの各駅に設置された改札機１００のＣＰＵ１０１は、第１券類ＣＡに、第２券類と併用する旨のペア情報が記録されているか否かを判断する判断手段として機能する。このとき、送信手段は、判断手段による第１券類ＣＡにペア情報が記録されているとの判断結果に基づいて、連絡駅Ｂに第１券類ＣＡの入場記録を送信する。
【００６９】
さらに、第１発着駅Ａから連絡駅Ｂまでの各駅に設置された改札機１００の搬送機構１１５は、ＣＰＵ１０１及び搬送制御回路１１６の制御により、第１券類ＣＡを受け取る受取手段として機能する。このとき、読取ヘッド１０３は、ＣＰＵ１０１及び読取回路１０４の制御により、受け取った第１券類ＣＡに記録された磁気情報を読み取る読取手段として機能する。また、判断手段は、読取手段による読取結果に基づいて、第１券類ＣＡにペア情報が記録されているか否かを判断する。
【００７０】
また、連絡駅Ｂに設置された１ラッチ改札機１５０のＣＰＵ１０１は、第２券類ＣＢに、第１券類ＣＡと併用する旨のペア情報が記録されているか否かを判断する判断手段として機能する。このとき、検索手段は、判断手段による第２券類ＣＢにペア情報が記録されているとの判断結果に基づいて、記憶手段から入場記録を検索する。
【００７１】
さらに、連絡駅Ｂに設置された１ラッチ改札機１５０の無線カードリーダライタ部１１５は、第２券類ＣＢとの間で無線通信を行う通信手段として機能する。このとき、判断手段は、通信手段による通信結果に基づいて、第２券類にペア情報が記録されているか否かを判断する。
【００７２】
また、連絡駅Ｂに設置されたホストコンピュータ１０のＣＰＵ１１及び１ラッチ改札機１５０のＣＰＵ１０１は、検索手段により該当する入場記録が検索されたのに基づいて、記憶手段に記憶された入場記録を削除する改札手段として機能する。
【００７３】
図７は、第１会社線の第１発着駅Ａに設置された改札機１００での磁気式定期券ＣＡを用いた入場時の改札方法を示すフローチャートである。
まず、改札機１００のＣＰＵ１０１は、検知回路１１４により投入口センサ１１３を介して投入口から磁気式定期券ＣＡを受け取ったか否かを判断する（ＳＴ２１）。ＣＰＵ１０１は、磁気式定期券ＣＡを受け取ったと判断したのに基づいて（ＳＴ２１、Ｙ）、搬送制御回路１１６を制御して搬送機構１１５を駆動し、受け取った磁気式定期券ＣＡを搬送する。
【００７４】
続いて、ＣＰＵ１０１は、読取回路１０４を制御して読取ヘッド１０３により、磁気式定期券ＣＡに記録された磁気情報を読み取る（ＳＴ２２）。そして、ＣＰＵ１０１は、読み取った磁気情報に基づいて、第１券類情報の定期券情報が有効であるか否かを判断する（ＳＴ２３）。このとき、ＣＰＵ１０１は、有効区間や有効期限などの定期券情報に基づいて、磁気式定期券ＣＡの有効性を判断する。
【００７５】
ＣＰＵ１０１は、磁気情報に含まれる定期券情報が有効であると判断した場合には（ＳＴ２３、Ｙ）、読み取った磁気情報に基づいて、磁気式定期券ＣＡに無線カードＣＢと併用する旨の有効なペア情報が第２券類情報として記録されているか否かを判断する（ＳＴ２４）。
【００７６】
ＣＰＵ１０１は、磁気情報に含まれるペア情報が有効であると判断したのに基づいて（ＳＴ２４、Ｙ）、磁気式定期券ＣＡを用いて第１発着駅Ａから入場した旨の入場記録を連絡駅Ｂに向けて送信する（ＳＴ２５）。すなわち、第１発着駅Ａに設置された改札機１００のＣＰＵ１０１は、通信制御部１２４を制御して、第１発着駅Ａのホストコンピュータ１０に有効と判断したペア情報を送信する。ホストコンピュータ１０は、通信制御部１５を制御して、改札機１００から送信されたペア情報を受信し、さらに通信制御部１５を制御して、通信回線３０を介して連絡駅Ｂのホストコンピュータ１０に送信する。
【００７７】
そして、連絡駅Ｂに設置されたホストコンピュータ１０のＣＰＵ１１は、通信制御部１５を制御して受信したペア情報に基づいて磁気式定期券ＣＡの入場記録をメモリ部１２に記憶する（ＳＴ２６）。このとき、記憶される入場記録には、ペア情報に含まれる識別コードが含まれるものとする。
【００７８】
第１発着駅Ａに設置された改札機１００のＣＰＵ１０１は、有効と判断した定期券情報に基づいて、改札処理を行う（ＳＴ２７）。そして、ＣＰＵ１０１は、搬送制御回路１１６を制御して搬送機構１１５を駆動し、改札処理を行った磁気式定期券ＣＡを排出口から排出する（ＳＴ２８）。そして、ＣＰＵ１０１は、検知回路１１４により排出口センサ１１３を介して排出口から磁気式定期券ＣＡが受け取られたと判断したのに基づいて、改札処理を終了する。
【００７９】
一方で、ＣＰＵ１０１は、ステップＳＴ２３において、読み取った磁気情報に含まれる定期券情報が無効であると判断した場合には（ＳＴ２３、Ｎ）、ＮＧ処理を行う（ＳＴ２９）。すなわち、ＣＰＵ１０１は、ドア制御回路１２０を制御してドア機構１１９を駆動し、利用者の通行を阻止するとともに、表示制御回路１２２を制御して表示部１２１を駆動し、受け取った磁気式定期券ＣＡが無効である旨のメッセージを表示する。
【００８０】
また、ＣＰＵ１０１は、ステップＳＴ２４において、読み取った磁気情報に有効ペア情報が記録されていないと判断した場合には（ＳＴ２４、Ｎ）、ステップＳＴ２７において改札処理を行う。
【００８１】
なお、上述した例では、第１発着駅Ａの改札機１００での入場時について説明したが、第１発着駅Ａから連絡駅Ｂまでのすべての改札機１００で同様の処理が可能であることは言うまでもない。
【００８２】
図８は、連絡駅Ｂに設置された１ラッチ改札機１５０での無線カードＣＢを用いた第１会社線側から第２会社線側への通過時の改札方法を示すフローチャートである。
まず、１ラッチ改札機１５０のＣＰＵ１０１は、無線アンテナ１１１を介して無線カードリーダライタ部１１２と無線カードＣＢとの間で無線通信が完了したか否かを判断する（ＳＴ３１）。ＣＰＵ１０１は、無線カードＣＢとの間で無線通信が完了していないと判断したのに基づいて（ＳＴ３１、Ｎ）、再度無線カードＣＢを無線アンテナ１１１にかざすように案内する。
【００８３】
そして、ＣＰＵ１０１０は、無線カードＣＢとの間で無線通信が完了したと判断したのに基づいて（ＳＴ３１、Ｙ）、読み取った第１券類情報に基づいて、定期券情報が有効であるか否かを判断する（ＳＴ３２）。このとき、ＣＰＵ１０１は、有効区間や有効期限などの定期券情報に基づいて、無線カードＣＢの有効性を判断する。
【００８４】
ＣＰＵ１０１は、第１定期券情報に含まれる定期券情報が有効であると判断した場合には（ＳＴ３２、Ｙ）、無線カードＣＢに磁気式定期券ＣＡと併用する旨の有効なペア情報が第２券類情報として記録されているか否かを判断する（ＳＴ３３）。
【００８５】
ＣＰＵ１０１は、ペア情報が有効であると判断したのに基づいて（ＳＴ３３、Ｙ）、併用する磁気式定期券ＣＡの入場記録を検索する（ＳＴ３４）。すなわち、１ラッチ改札機１５０のＣＰＵ１０１は、通信制御部１２４を制御して、連絡駅Ｂに設置されたホストコンピュータ１０に読み取った無線カードＣＢのペア情報を送信する。ホストコンピュータ１０のＣＰＵ１１は、通信制御部１５を制御して、１ラッチ改札機１５０から送信されたペア情報を受信する。そして、ＣＰＵ１１は、受信したペア情報に基づいて、メモリ部１２に記憶された磁気式定期券ＣＡの入場記録を検索する。このとき、ＣＰＵ１１は、例えば無線カードＣＢのペア情報に含まれる識別コードと同一の識別コードを有する入場記録を検索する。
【００８６】
そして、ＣＰＵ１１は、メモリ部１２に該当する磁気式定期券ＣＡの入場記録を検索できたのに基づいて（ＳＴ３５、Ｙ）、通信制御部１５を制御して、１ラッチ改札機１５０のＣＰＵ１０１に対して無線カードＣＢが有効である旨の情報を送信する。１ラッチ改札機１５０のＣＰＵ１０１は、通信制御部１２４を制御して無線カードＣＢが有効である旨の情報を受信した場合には、有効と判断した定期券情報に基づいて、改札処理を行う（ＳＴ３６）。
【００８７】
そして、ホストコンピュータ１１のＣＰＵ１１は、メモリ部１２に記憶していた有効と判定した磁気式定期券ＣＡの入場記録を削除し（ＳＴ３７）、改札処理を終了する。
【００８８】
一方で、ＣＰＵ１０１は、ステップＳＴ３２において読み取った第１券類情報に含まれる定期券情報が無効であると判断した場合（ＳＴ３２、Ｎ）、ステップＳＴ３３において有効なペア情報が記録されていないと判断した場合（ＳＴ３３、Ｎ）、及び、ステップＳＴ３５において該当する入場記録が記憶されていないと判断した場合（ＳＴ３５、Ｎ）には、ＮＧ処理を行う（ＳＴ３８）。すなわち、ＣＰＵ１０１は、ドア制御回路１２０を制御してドア機構１１９を駆動し、利用者の通行を阻止するとともに、表示制御回路１２２を制御して表示部１２１を駆動し、無線カードＣＢが無効である旨のメッセージを表示する。
【００８９】
以上、図７及び図８を参照して説明したケースでは、連絡駅Ｂの１ラッチ改札機１５０において、無線カードＣＢを利用した操作のみで、磁気式定期券ＣＡを利用した第１発着駅Ａから連絡駅Ｂまでの第１有効区間における改札処理を完了するとともに、無線カードＣＢを利用した連絡駅Ｂから第２発着駅Ｘまでの第２有効区間における改札処理（入場処理）を完了することが可能となる。
【００９０】
このように、連絡駅における１ラッチ改札機での操作において、磁気式定期券ＣＡを用いた操作を省略することが可能となり、操作を簡便化することができる。また、１ラッチ改札機の操作が簡便化できたことにより、改札効率を向上することが可能であるとともに、利用者に対するサービス性を向上することが可能である。
【００９１】
次に、上述したペア情報を有する磁気式定期券ＣＡ及び無線カードＣＢを用いた改札システムの第２の利用方法について説明する。
【００９２】
ここでは、第１券類としての無線カードＣＢは、第２会社線において、第１発着駅としてのＸ駅から連絡駅としてのＢ駅までの第１有効区間を有する。また、第２券類としての磁気式定期券ＣＡは、第１会社線において、第２発着駅としてのＡ駅から連絡駅としてのＢ駅までの第２有効区間を有する。
【００９３】
連絡駅Ｂに設置されたホストコンピュータ１０の通信制御部１５及びこのホストコンピュータ１０に接続された１ラッチ改札機１５０の通信制御部１２４は、それぞれのＣＰＵ１１及びＣＰＵ１０１の制御により、第１発着駅Ｘから連絡駅Ｂまでの第１有効区間を有する第１券類ＣＢを受け取ったのに基づいて、第２発着駅Ａから連絡駅Ｂまでの各駅に第１券類ＣＢの通過記録を送信する送信手段として機能する。
【００９４】
第２発着駅Ａから連絡駅Ｂまでの各駅に設置されたホストコンピュータ１０のメモリ部１２は、ＣＰＵ１１の制御により、送信された通過記録を記憶する記憶手段として機能する。
【００９５】
第２発着駅Ａから連絡駅Ｂまでの各駅に設置されたホストコンピュータ１０のＣＰＵ１１は、連絡駅Ｂから第２発着駅Ａまでの第２有効区間を有する第２券類ＣＡを受け取ったのに基づいて、メモリ部１２から第２券類ＣＡと併用される第１券類ＣＢの通過記録を検索する検索手段として機能する。
【００９６】
第２発着駅Ａから連絡駅Ｂまでの各駅に設置された１ラッチ改札機１５０のＣＰＵ１０１は、ＣＰＵ１１による検索結果に基づいて改札処理を行う改札手段として機能する。
【００９７】
また、連絡駅Ｂに設置された１ラッチ改札機１５０のＣＰＵ１０１は、第１券類ＣＢに、第２券類ＣＡと併用する旨のペア情報が記録されているか否かを判断する判断手段として機能する。このとき、送信手段は、判断手段による第１券類ＣＢにペア情報が記録されているとの判断結果に基づいて、第２発着駅Ａから連絡駅Ｂまでの各駅に第１券類ＣＢの通過記録を送信する。
【００９８】
さらに、連絡駅Ｂに設置された１ラッチ改札機１５０の無線カードリーダライタ部１１５は、第１券類ＣＢとの間で無線通信を行う通信手段として機能する。このとき、判断手段は、通信手段による通信結果に基づいて、第１券類ＣＢにペア情報が記録されているか否かを判断する。
【００９９】
また、連絡駅Ｂから第２発着駅Ａまでの各駅に設置された改札機１００のＣＰＵ１０１は、第２券類ＣＡに、第１券類ＣＢと併用する旨のペア情報が記録されているか否かを判断する判断手段として機能する。このとき、検索手段は、判断手段による第２券類ＣＡにペア情報が記録されているとの判断結果に基づいて、記憶手段から通過記録を検索する。
【０１００】
さらに、連絡駅Ｂから第２発着駅Ａまでの各駅に設置された改札機１００の搬送機構１１５は、ＣＰＵ１０１及び搬送制御回路１１６の制御により、第２券類ＣＡを受け取る受取手段として機能する。このとき、読取ヘッド１０３は、ＣＰＵ１０１及び読取回路１０４の制御により、受け取った第２券類ＣＡに記録された磁気情報を読み取る読取手段として機能する。また、判断手段は、読取手段による読取結果に基づいて、第２券類ＣＡにペア情報が記録されているか否かを判断する。
【０１０１】
また、第２発着駅Ａから連絡駅Ｂまでの各駅に設置されたホストコンピュータ１０のＣＰＵ１１及び改札機１００のＣＰＵ１０１は、検索手段により該当する通過記録が検索されたのに基づいて、記憶手段に記憶された通過記録を削除する改札手段として機能する。
【０１０２】
図９は、連絡駅Ｂに設置された１ラッチ改札機１５０での無線カードＣＢを用いた第２会社線側から第１会社線側への通過時の改札方法を示すフローチャートである。
まず、１ラッチ改札機１５０のＣＰＵ１０１は、無線アンテナ１１１を介して無線カードリーダライタ部１１２と無線カードＣＢとの間で無線通信が完了したか否かを判断する（ＳＴ４１）。ＣＰＵ１０１は、無線カードＣＢとの間で無線通信が完了していないと判断したのに基づいて（ＳＴ４１、Ｎ）、再度無線カードＣＢを無線アンテナ１１１にかざすように案内する。
【０１０３】
そして、ＣＰＵ１０１０は、無線カードＣＢとの間で無線通信が完了したと判断したのに基づいて（ＳＴ４１、Ｙ）、読み取った第１券類情報に基づいて、定期券情報が有効であるか否かを判断する（ＳＴ４２）。このとき、ＣＰＵ１０１は、有効区間や有効期限などの定期券情報に基づいて、無線カードＣＢの有効性を判断する。
【０１０４】
ＣＰＵ１０１は、第１定期券情報に含まれる定期券情報が有効であると判断した場合には（ＳＴ４２、Ｙ）、無線カードＣＢに磁気式定期券ＣＡと併用する旨の有効なペア情報が第２券類情報として記録されているか否かを判断する（ＳＴ４３）。
【０１０５】
ＣＰＵ１０１は、ペア情報が有効であると判断したのに基づいて（ＳＴ４３、Ｙ）、無線カードＣＢを用いて連絡駅Ｂの１ラッチ改札機１５０を通過した旨の通過記録を第２発着駅Ａから連絡駅Ｂまでの各駅に向けて送信する（ＳＴ４４）。すなわち、連絡駅Ｂに設置された１ラッチ改札機１５０のＣＰＵ１０１は、通信制御部１２４を制御して、連絡駅Ｂのホストコンピュータ１０に有効と判断したペア情報を送信する。ホストコンピュータ１０は、通信制御部１５を制御して、１ラッチ改札機１５０から送信されたペア情報を受信し、さらに通信制御部１５を制御して、通信回線３０を介して第２発着駅Ａから連絡駅Ｂまでの各駅のホストコンピュータ１０に送信する。
【０１０６】
そして、第２発着駅Ａから連絡駅Ｂまでの各駅に設置されたホストコンピュータ１０のＣＰＵ１１は、通信制御部１５を制御して受信したペア情報に基づいて無線カードＣＢの通過記録をメモリ部１２に記憶する（ＳＴ４５）。このとき、記憶される通過記録には、ペア情報に含まれる識別コードが含まれるものとする。
【０１０７】
１ラッチ改札機１５０のＣＰＵ１０１は、有効と判断した定期券情報に基づいて、改札処理を行う（ＳＴ４６）。
【０１０８】
一方で、ＣＰＵ１０１は、ステップＳＴ４２において読み取った第１券類情報に含まれる定期券情報が無効であると判断した場合（ＳＴ４２、Ｎ）、及び、ステップＳＴ４３において有効なペア情報が記録されていないと判断した場合（ＳＴ４３、Ｎ）には、ＮＧ処理を行う（ＳＴ４７）。すなわち、ＣＰＵ１０１は、ドア制御回路１２０を制御してドア機構１１９を駆動し、利用者の通行を阻止するとともに、表示制御回路１２２を制御して表示部１２１を駆動し、無線カードＣＢが無効である旨のメッセージを表示する。
【０１０９】
図１０は、第１会社線の連絡駅Ｂから第２発着駅Ａまでの各駅に設置された改札機１００での磁気式定期券ＣＡを用いた出場時の改札方法を示すフローチャートである。
まず、改札機１００のＣＰＵ１０１は、検知回路１１４により投入口センサ１１３を介して投入口から磁気式定期券ＣＡを受け取ったか否かを判断する（ＳＴ５１）。ＣＰＵ１０１は、磁気式定期券ＣＡを受け取ったと判断したのに基づいて（ＳＴ５１、Ｙ）、搬送制御回路１１６を制御して搬送機構１１５を駆動し、受け取った磁気式定期券ＣＡを搬送する。
【０１１０】
続いて、ＣＰＵ１０１は、読取回路１０４を制御して読取ヘッド１０３により、磁気式定期券ＣＡに記録された磁気情報を読み取る（ＳＴ５２）。そして、ＣＰＵ１０１は、読み取った磁気情報に基づいて、第１券類情報の定期券情報が有効であるか否かを判断する（ＳＴ５３）。このとき、ＣＰＵ１０１は、有効区間や有効期限などの定期券情報に基づいて、磁気式定期券ＣＡの有効性を判断する。
【０１１１】
ＣＰＵ１０１は、磁気情報に含まれる定期券情報が有効であると判断した場合には（ＳＴ５３、Ｙ）、読み取った磁気情報に基づいて、磁気式定期券ＣＡに無線カードＣＢと併用する旨の有効なペア情報が第２券類情報として記録されているか否かを判断する（ＳＴ５４）。
【０１１２】
ＣＰＵ１０１は、磁気情報に含まれるペア情報が有効であると判断したのに基づいて（ＳＴ５４、Ｙ）、併用する無線カードＣＢの通過記録を検索する（ＳＴ５５）。すなわち、改札機１００のＣＰＵ１０１は、通信制御部１２４を制御して、通信回線２０を介して接続されたホストコンピュータ１０に読み取った磁気式定期券ＣＡのペア情報を送信する。ホストコンピュータ１０のＣＰＵ１１は、通信制御部１５を制御して、改札機１００から送信されたペア情報を受信する。そして、ＣＰＵ１１は、受信したペア情報に基づいて、メモリ部１２に記憶された無線カードＣＢの通過記録を検索する。このとき、ＣＰＵ１１は、例えば無線カードＣＢのペア情報に含まれる識別コードと同一の識別コードを有する通過記録を検索する。
【０１１３】
そして、ＣＰＵ１１は、メモリ部１２に該当する無線カードＣＢの通過記録を検索できたのに基づいて（ＳＴ５６、Ｙ）、通信制御部１５を制御して、改札機１００のＣＰＵ１０１に対して磁気式定期券ＣＡが有効である旨の情報を送信する。
【０１１４】
そして、改札機１００のＣＰＵ１０１は、通信制御部１２４を制御して磁気式定期券ＣＡが有効である旨の情報を受信した場合には、有効と判断した定期券情報に基づいて、改札処理を行う（ＳＴ５７）。そして、ＣＰＵ１０１は、搬送制御回路１１６を制御して搬送機構１１５を駆動し、改札処理を行った磁気式定期券ＣＡを排出口から排出する（ＳＴ５８）。
【０１１５】
そして、ホストコンピュータ１１のＣＰＵ１１は、メモリ部１２に記憶していた有効と判定した無線カードＣＢの通過記録を削除し（ＳＴ５９）、改札処理を終了する。
【０１１６】
一方で、ＣＰＵ１０１は、ステップＳＴ５３において、読み取った磁気情報に含まれる定期券情報が無効であると判断した場合（ＳＴ５３、Ｎ）、ステップＳＴ５４において、有効なペア情報が記録されていない判断した場合（ＳＴ５４、Ｎ）、及び、ステップＳＴ５６において該当する通過記録が記憶されていないと判断した場合（ＳＴ５６、Ｎ）には、ＮＧ処理を行う（ＳＴ６０）。すなわち、ＣＰＵ１０１は、ドア制御回路１２０を制御してドア機構１１９を駆動し、利用者の通行を阻止するとともに、表示制御回路１２２を制御して表示部１２１を駆動し、受け取った磁気式定期券ＣＡが無効である旨のメッセージを表示する。
【０１１７】
以上、図９及び図１０を参照して説明したケースでは、連絡駅Ｂの１ラッチ改札機１５０において、無線カードＣＢを利用した操作のみで、無線カードＣＢを利用した第１発着駅Ｘから連絡駅Ｂまでの第１有効区間における改札処理を完了するとともに、無線カードＣＢを利用した連絡駅Ｂから第２発着駅Ａまでの第２有効区間における改札処理（入場処理）を完了することが可能となる。また、連絡駅Ｂから第２発着駅Ａまでの各駅の改札機１００において、磁気式定期券ＣＡを利用した操作のみで、連絡駅Ｂから第２発着駅Ａまでの第２有効区間における改札処理を完了することが可能となる。
【０１１８】
このように、連絡駅における１ラッチ改札機での操作において、磁気式定期券ＣＡを用いた操作を省略することが可能となり、操作を簡便化することができる。また、１ラッチ改札機の操作が簡便化できたことにより、改札効率を向上することが可能であるとともに、利用者に対するサービス性を向上することが可能である。
【０１１９】
上述したように、この改札システムによれば、異なる媒体の券類を併用する場合（例えば磁気式定期券及び無線カード）、これらが互いにペアであることの認識ができるようにしておく。そして、磁気式定期券を用いて定期区間内から入場した場合には、入場した駅の改札機と連絡駅の１ラッチ改札機との間で入場情報の送受信を行う。また、無線カードを用いて連絡駅を通過した場合には、磁気式定期券の定期区間内の各駅に設置された改札機と連絡駅の１ラッチ改札機との間で通過情報の送受信を行う。
【０１２０】
これにより、１ラッチ改札機では、磁気式定期券の投入がなくても無線カードのみの処理で磁気式定期券の改札処理を可能とする。したがって、１ラッチ改札機での操作を簡便化することができ、改札処理を向上することが可能であるとともに、利用者に対するサービス性を向上することが可能となる。
【０１２１】
なお、この発明は上記各実施の形態に限定されるものではなく、その実施の段階ではその要旨を逸脱しない範囲で種々な変形・変更が可能である。また、各実施の形態は可能な限り適宜組み合わせて実施されてもよく、その場合組み合わせによる効果が得られる。
【０１２２】
【発明の効果】
以上説明したように、この発明によれば、改札効率を向上することが可能であるとともに、利用者に対するサービス性を向上することが可能な改札システム、券類処理装置、及び、改札方法を提供することができる。
【図面の簡単な説明】
【図１】図１は、この発明の改札システムを適用可能なシチュエーションを説明するための図である。
【図２】図２は、図１に示した各駅に設置されるホストコンピュータの構成を概略的に示す図である。
【図３】図３の（ａ）は、図１に示した改札システムに適用可能な磁気式定期券に記録される券類情報の一例を示す図であり、図３の（ｂ）は、無線カードに記録される券類情報の一例を示す図であり、
【図４】図４は、図１に示した各駅に設置される改札機及び１ラッチ改札機の構成を概略的に示す図である。
【図５】図５は、図３の（ａ）及び（ｂ）に示した磁気式定期券及び無線カードにペア情報を記録するための券類処理装置の構成を概略的に示す図である。
【図６】図６は、磁気式定期券及び無線カードのそれぞれにペア情報を記録するための記録方法を説明するためのフローチャートである。
【図７】図７は、第１会社線の第１発着駅に設置された改札機での磁気式定期券を用いた入場時の改札方法を示すフローチャートである。
【図８】図８は、連絡駅に設置された１ラッチ改札機での無線カードを用いた第１会社線側から第２会社線側への通過時の改札方法を示すフローチャートである。
【図９】図９は、連絡駅に設置された１ラッチ改札機での無線カードを用いた第２会社線側から第１会社線側への通過時の改札方法を示すフローチャートである。
【図１０】図１０は、第１会社線の連絡駅から第２発着駅までの各駅に設置された改札機での磁気式定期券を用いた出場時の改札方法を示すフローチャートである。
【符号の説明】
１０…ホストコンピュータ
１１…ＣＰＵ（検索手段）
１２…メモリ部（記憶手段）
１５…通信制御部（送信手段）
１００…改札機
１０１…ＣＰＵ（改札手段、判断手段）
１０３…読取ヘッド（読取手段）
１１２…無線カードリーダライタ部（通信手段）
１２４…通信制御部（送信手段）
１５０…１ラッチ改札機
４００…券類処理装置
【図１】
2004133606.tif 000003
【図２】
2004133606.tif 000004
【図３】
2004133606.tif 000005
【図４】
2004133606.tif 000006
【図５】
2004133606.tif 000007
【図６】
2004133606.tif 000008
【図７】
2004133606.tif 000009
【図８】
2004133606.tif 000010
【図９】
2004133606.tif 000011
【図１０】
2004133606.tif 000012